(57)【要約】【課題】透明又は半透明の挿入部材を、内層部が表面部と異なる色相を有する基体部材の嵌着部に嵌入して組み付ける場合、基体部材の表面部と同色又は同系色の色が挿入部材の嵌入部を透過して外観に現れるようにし、外観上の体裁を良くした組立構造物を提供することを目的とする。【解決手段】  透明又は半透明の側板部４を、内層部が表面部と異なる色相を有する底板部１、棚板部２、天板部３の嵌着部に嵌入して各部材を組み付けている。側板部４の少なくとも前記板部１，２，３の嵌着部との嵌入部を、該板部１，２，３の表面部と同色又は同系色とする。側板部４の嵌入部に、前記板部表面部と同色又は同系色の着色部材を設けてもよい。記着色部材は、側板部４の嵌入部に被着され、前記板部表面部と同色又は同系色のカバー部材であり、側板部４の嵌入部と接触する内面部を前記板部表面部と同色又は同系色としている。【選択図】図１
0003128887.tif 000002
【実用新案登録請求の範囲】
【請求項１】
透明又は半透明の挿入部材を、内層部が表面部と異なる色相を有する基体部材の嵌着部に嵌入して両部材を組み付けるようにした組立構造物において、
前記挿入部材における少なくとも前記基体部材嵌着部との嵌入部を、該基体部材の表面部と同色又は同系色としたことを特徴とする組立構造物。
【請求項２】
前記挿入部材の嵌入部に、前記基体部材の表面部と同色又は同系色の着色部材を設けたことを特徴とする請求項１に記載の組立構造物。
【請求項３】
前記着色部材は、前記挿入部材の嵌入部に被着され、前記基体部材の表面部と同色又は同系色のカバー部材であることを特徴とする請求項２に記載の組立構造物。
【請求項４】
前記カバー部材は、前記挿入部材の嵌入部と接触する内面部を前記基体部材の表面部と同色又は同系色としたことを特徴とする請求項３に記載の組立構造物。
【請求項５】
前記カバー部材の内面部は、前記基体部材表面部の色よりも色調の薄い同系色としたことを特徴とする請求項４に記載の組立構造物。
【請求項６】
前記カバー部材は、断面略コ字形状であり、前記挿入部材の端縁部に挟持して被着するものであることを特徴とする請求項３〜５の何れかに記載の組立構造物。
【請求項７】
前記カバー部材は、断面略コ字形状の一方の側面部が他方の側面部より高く形成されており、該カバー部材を、高さの高い側面部を外側に向けて前記挿入部材に被着することを特徴とする請求項６に記載の組立構造物。
【請求項８】
前記挿入部材は、プラスチック段ボールであり、該挿入部材の嵌入部方向に延びる補強リブを内部に配置したものであることを特徴とする請求項３〜７の何れかに記載の組立構造。
【請求項９】
前記着色部材は、着色フィルムであることを特徴とする請求項２に記載の組立構造物。
【請求項１０】
前記挿入部材と前記基体部材は板体であり、前記基体部材の嵌着部は、前記挿入部材の嵌入部である下端部が嵌入する凹溝形状であることを特徴とする請求項１〜９の何れかに記載の組立構造物。
【請求項１１】
前記挿入部材と前記基体部材は家具の構成部材であり、基体部材は水平板、挿入部材は該水平板に立設される側版であることを特徴とする請求項１〜１０の何れかに記載の組立構造物。
【考案の詳細な説明】
【技術分野】
【０００１】
本考案は家具、収納ボックス等の組立構造物に係り、透明又は半透明の挿入部材と該挿入部材を嵌入する基体部材の組み付け部の改良に関するものである。
【背景技術】
【０００２】
インテリアライトシェルフ、ラック、収納ボックス等は、底面板、棚板、天板、側面板等を組み立てて構成されている。この場合、例えば側面版に透明又は半透明のプラスチック板を使用し、底面板、棚板等に形成した凹溝部に側面板の下端部を嵌入して組み付けると、嵌入部において凹溝部の内面側の色が外観に透けて見えるため、体裁が悪いという問題がある。
【０００３】
即ち、底面板、棚板等に木材を使用し、表面部に装飾用の塗装やフィルムを貼着した場合、表層部の色と内層部の色（木材の色）は異なっている。このため、底面板、棚板等に凹溝部を形成し、そこに側面板を嵌入したとき、凹溝部の内面側の色が、透明又は半透明の側面板の嵌入部を透過して外面側から見える状態となり、外観を損なうことになる。この対策として、凹溝部の内面側を底面板や棚板の表面部と同色に塗装することも考えられるが、手間がかかりコスト高となる。
【０００４】
なお、特許文献１には、建具のガラス板を保持するため、楔作用をなすリブを形成したガスケット構造が開示されており、また特許文献２には、地板と側板に細長い溝を形成し、該溝に背面板を、逆目突起が形成された固定部材を介して挿入するようにした箱物家具の背面板固定構造が開示されているが、これらはいずれもガラス板ないし背面板の抜け出し防止を目的としたものであり、本考案と関連性はない。
【０００５】
【特許文献１】実開昭５６−５７８９号公報
【特許文献２】特開２０００−１０２４２６号公報
【考案の開示】
【考案が解決しようとする課題】
【０００６】
本考案は、上述したような問題を解決するために提案されたものであり、透明又は半透明の挿入部材を、内層部が表面部と異なる色相を有する基体部材の嵌着部に嵌入して組み付ける場合、基体部材の表面部と同色又は同系色の色が挿入部材の嵌入部を透過して外観に現れるようにし、外観上の体裁を良くした組立構造物を提供することを目的とする。
また本考案は、上記目的を簡単な構成で安価に実現できるようにした組立構造物を提供することである。
【課題を解決するための手段】
【０００７】
上記課題を解決するため、本考案の組立構造物の請求項１の考案にあっては、透明又は半透明の挿入部材を、内層部が表面部と異なる色相を有する基体部材の嵌着部に嵌入して両部材を組み付けるようにした組立構造物において、
前記挿入部材における少なくとも前記基体部材嵌着部との嵌入部を、該基体部材の表面部と同色又は同系色としたことを特徴とする。
【０００８】
ここでの挿入部材と基体部材の形状、材質等は特に限定されるものではなく、挿入部材と基体部材の連結形態も任意である。挿入部材は透明又は半透明のプラスチック、ガラス等である。基体部材は、木材、プラスチック、金属、セラミック等である。挿入部材の嵌入部は、その部分を塗料等で着色してもよい。基体部材の表面部に模様等が施されているときは、嵌入部にも同じような模様を施すことができる。なお、本考案の組立構造物は、家具、ラック、収納ボックス等、主として家庭内で使用するものであるが、ペット小屋、屋外温室等の屋外製品や、オフィス製品等でもよい。
【０００９】
このようにすると、挿入部材の嵌入部の色を基体部材の表面部の色と同色又は同系色としたことにより、基体部材の嵌着部に嵌入した状態で、前記嵌入部の色が挿入部材に透過して外観に現れ、嵌着部内面の基体部材内層部の色が隠れることになる。
【００１０】
また請求項２の考案にあっては、請求項１の考案において、前記挿入部材の嵌入部に、前記基体部材の表面部と同色又は同系色の着色部材を設けたことを特徴とする。着色部材は、着色紙、着色プラスチックシート、布地等の任意の部材が使用でき、これらを貼着、熱圧着等の手法で挿入部材の嵌入部に固着する。
【００１１】
また請求項３の考案にあっては、請求項２の考案において、前記着色部材は、前記挿入部材の嵌入部に被着され、前記基体部材の表面部と同色又は同系色のカバー部材であることを特徴とする。
【００１２】
ここでのカバー部材は、挿入部材の嵌入部を覆うことができるものであれば、特に限定されるものではなく、材質も任意である。このようなカバー部材は、挿入部材の嵌入部を直に着色する方法に比べると、製作コストが安価であり、装着作業も簡単である。
【００１３】
また請求項４の考案にあっては、請求項３の考案において、前記カバー部材の、前記挿入部材の嵌入部と接触する内面部を前記基体部材の表面部と同色又は同系色としたことを特徴とする。透明又は半透明の挿入部材の嵌入部には、カバー部材の内面部の色が透過して外側から見えるため、該カバー部材内面部を着色するだけで十分である。
【００１４】
また請求項５の考案にあっては、請求項４の考案において、前記カバー部材の内面部は、前記基体部材表面部の色よりも色調の薄い同系色としたことを特徴とする。
【００１５】
カバー部材内面部の色は、透明又は半透明の挿入部材の嵌入部を通して見たとき、光の屈折等の関係で元の色より濃く見える傾向にある。このためカバー部材内面部の色を、基体部材表面部の色よりも色調の薄い同系色としておけば、挿入部材の嵌入部を通して見たとき、基体部材表面部と同じような色合いとなり、基体部材表面部の色と調和する。
【００１６】
また請求項６の考案にあっては、請求項３〜５の何れかの考案において、前記カバー部材は、断面略コ字形状であり、前記挿入部材の端縁部に挟持して被着するものであることを特徴とする。このようにすれば、カバー部材を押出成形で安価に製作することができ、挿入部材への装着も簡単に行うことができる。
【００１７】
また請求項７の考案にあっては、請求項６の考案において、前記カバー部材は、断面略コ字形状の一方の側面部が他方の側面部より高く形成されており、該カバー部材を、高さの高い側面部を外側に向けて前記挿入部材に被着することを特徴とする。
【００１８】
このような形状のカバー部材は、高い方の側面部を基体部材の嵌着部にスライドさせることにより、挿入部材を簡単に嵌着部に嵌入することができる。高さの高い側面部を内側に向けて被着すると、側面部内面の色が外側から見えてしまうため、外観を損なう。
【００１９】
また請求項８の考案にあっては、請求項３〜７の何れかに記載の考案において、前記挿入部材は、プラスチック段ボールであり、該挿入部材の嵌入部方向に延びる補強リブを内部に配置したものであることを特徴とする。
【００２０】
プラスチック段ボールは、２枚の透明又は半透明プラスチック板の間に複数の補強リブを配置したものであるが、嵌入部となる端縁部は鋭利な切断面となっており、直に基体部材の嵌着部に嵌入すると、基体部材が木製の場合、鋭利な切断面と接触して木屑等が発生し、それがプラスチック段ボールの内部に侵入して美観を損ねることになる。そこで嵌入部に前記カバー部材を被着することにより、木屑の発生や侵入を防ぐことができる。また、ガタ付きによる異音の発生を防ぐこともできる。
【００２１】
また請求項９の考案にあっては、請求項２の考案において、前記着色部材は、着色フィルムであることを特徴とする。このようにすれば、着色フィルムを貼着するだけであるから作業が簡単である。着色フィルムは、基体部材の表面部に貼着したフィルムを利用することもできる。
【００２２】
また請求項１０の考案にあっては、請求項１〜９の何れかの考案において、前記挿入部材と前記基体部材は板体であり、前記基体部材の嵌着部は、前記挿入部材の嵌入部である下端部が嵌入する凹溝形状であることを特徴とする。
【００２３】
また請求項１１の考案にあっては、請求項１〜１０の何れかの考案において、前記挿入部材と前記基体部材は家具の構成部材であり、基体部材は水平板、挿入部材は該水平板に立設される側版であることを特徴とする。
【００２４】
請求項１０及び１１の考案は、収納ラック、置き台等のボックス形状の組立構造物において、例えば側板や仕切板を透明又は半透明のプラスチック板で構成するとするときに、有効に利用できる。
【考案の効果】
【００２５】
以上のような本考案によれば、透明又は半透明の挿入部材を、内層部が表面部と異なる色相を有する基体部材の嵌着部に嵌入して両部材を組み付けた場合、基体部材の表面部と同色又は同系色の色が挿入部材の嵌入部を透過して見え、内層部の色が隠れるため、外観上の体裁が良くなる。
また本考案によれば、基体部材の嵌着部はそのままで、挿入部材の嵌入部に着色部材等を設けるだけであるから作業が簡単で安価に製作することができる。
さらに本考案によれば、上記各請求項の考案に記載した固有の作用効果を得ることができる。
【考案を実施するための最良の形態】
【００２６】
以下、本考案の実施形態につき添付図面を参考にして説明する。図１は本考案を適用したインテリアライトシェルフの前方から見た斜視図、図２は後方から見た斜視図である。
【００２７】
このライトシェルフ（組立構造物）は、底板部１、棚板部２及び天板部３を有しており、これらは四隅部において連結ロッド６により連結されている。また、底板部１と棚板部２との間、及び天板部３と棚板部２の間には、左右両側に側板部４が設けられるとともに、後面側に背板部５がそれぞれ設けられている。なお、底板部１の下面部にはキャスタ７が設けられている。
【００２８】
前記側板部４は、透明プラスチック板であり、図７に示すように、ここでは２枚のアクリル板の内部に、後述する嵌入部９の方向（上下方向）に複数の補強リブ４ａを配置したプラスチック段ボールを使用している。また、底板部１、棚板部２、天板部３及び背板部５は、木製の板であり、少なくとも外側から見える上面と周側面の表面部には化粧紙、ＰＶＣシート等の有色シートが貼付ないし熱圧着されている。
【００２９】
底板部１の上面部の左右両端部には、図３及び図４に示すように、前記側板部４を嵌入するための凹溝形状の嵌着部８が幅長方向に形成されている。また、棚板２の上下両面部の左右両端部には、図５に示すように、凹溝形状の嵌着部８が幅長方向に形成されたおり、天板部３の下面部の左右両端部にも凹溝形状の嵌着部８が幅長方向に形成されている。なお、図面では、棚板部２と天板部３の平面図は底板部１と相似するため省略し、底板部１と形態の異なる嵌着部８の断面図だけを示している。
【００３０】
側板部４は、図７及び図８に示すように、その上下両端部が前記各板部１，２，３の嵌着部８との嵌入部９となり、この嵌入部９にカバー部材１０が被着されている。カバー部材１０は、ここではプラスチック製であり、図９に示すように断面コ字形状をしており、一方の側面部１０ａは、他方の側面部１０ｂより高さが高く形成されている。
【００３１】
また、カバー部材１０の内面部１０ｃには、底板部１、棚板部２、天板部３の表面部と同色又は同系色の着色フィルムが貼着されている。この着色フィルムの色は、前記板部表面部より色調の薄い色とするのが好ましい。例えば、板部表面部が黒色のときは、この黒色よりやや濃度の薄い灰色とする。
【００３２】
カバー部材１０を側面板４に被着するときは、高さの高い側面部１０ａが外側を向くようにして側板部４の嵌入部９に挟持する。そして、この状態で側板部４を底板部１、棚板部２、天板部３の各嵌着部８に嵌入し、各板部１，２，３に側板部４を組み付ける。
【００３３】
背板部５は、ここでは詳示しないが、背板部５の上下両端部に複数の係止突起部が形成されており、底板部１、棚板部２、天板部３の後端部側に形成された複数の係入孔１１（図３参照）に前記係止突起部を差し込んで各板部１，２，３に背板部５を組み付けている。
【００３４】
上述したインテリアライトシェルフは、音響製品、映像製品等の置き台、インテリア用品の収納などに利用される。左右の側板部４は透明プラスチック板であるため、側面方向からも棚板部２等に置いたインテリア商品を透視することができる。側板部４の嵌入部９と底板部１、棚板部２、天板部３の嵌着部８との連結部においては、カバー部材１０の内面部１０ｃの色が側板部の嵌入部９に透過して現れるため、各板部１，２，３の表面部の色と調和し、外観上の体裁も良好である。
【００３５】
上述した実施形態は、本考案の一例を示したにすぎず、各請求項の考案を解釈するにあったって、上記実施形態に拘泥されないことは言うまでもない。
【図面の簡単な説明】
【００３６】
【図１】本考案の実施形態を示す組立構造物の前方から見た斜視図である。
【図２】同じく後方から見た斜視図である。
【図３】同じく底板部の平面図である。
【図４】同じく図３のＡ−Ａ線に沿う嵌着部の部分断面部である。
【図５】同じく棚板部の嵌着部の部分断面図である。
【図６】同じく天板部の嵌着部の部分断面図である。
【図７】同じく側板部の正面図である。
【図８】同じく側板部の側面図である。
【図９】同じくカバー部材の断面図である。
【符号の説明】
【００３７】
１は底板部
２は棚板部
３は天板部
４は側板部
５は背板部
６は連結ロッド
７はキャスタ
８は嵌挿部
９は嵌入部
１０はカバー部材
１０ａ，１０ｂは側面部
１０ｃは内面部
１１は係入孔
【図１】
0003128887.tif 000003
【図２】
0003128887.tif 000004
【図３】
0003128887.tif 000005
【図４】
0003128887.tif 000006
【図５】
0003128887.tif 000007
【図６】
0003128887.tif 000008
【図７】
0003128887.tif 000009
【図８】
0003128887.tif 000010
【図９】
0003128887.tif 000011